(57)【要約】【課題】組み立てが容易で、組み立てた後の堅牢性に優れる筐体を備えた電子装置を提供する。【解決手段】携帯コンピュータの操作筐体２は、枠体６に外装を配置する。枠体６は、相独立する表枠体６ａ、裏枠体６ｂ、右枠体６ｃ、左枠体６ｄ、前枠体６ｅおよび後枠体６ｆで構成される。左枠体６ｄの長さ距離を介して、平行に配置した前枠体６ｅおよび後枠体６ｆに、左枠体６ｄを矢印Ｃ方向に移動させる。左枠体６ｄの両端部に備えるリブを、前枠体６ｅおよび後枠体６ｆそれぞれの端部に備えるリブに差し込む。同様に、右枠体６ｃも移動させ、リブ同士を差し込む。こうして側部の４枠体を組み立てた後、表枠体６ａおよび裏枠体６ｂそれぞれを組み込む。このようにリブ同士を差し込むため、組み立てが容易で、枠体６は堅牢性に優れる。【選択図】図３Ａ
2014209305.tif 000002
【特許請求の範囲】
【請求項１】
第１の板部と、
前記第１の板部と第１の方向に離れて対向する第２の板部と、
前記第１の板部と第２の板部との間に配置されて側面を形成する複数の枠体と、
を備え、
前記枠体は複数のリブを備え、
前記リブは前記枠体が隣接する他の枠体が備えるリブと前記第１の方向に互い違いに重ねられて配置される、
電子機器。
【請求項２】
前記リブは前記枠体が隣接する他の枠体が備えるリブと締結部材を用いて締結される、
請求項１に記載の電子機器。
【請求項３】
前記リブの先端は前記枠体が隣接する他の枠体に前記他の枠体の内部で接し、当該リブは前記他の枠体の外部から締結部材を用いて締結される、
請求項１に記載の電子機器。
【請求項４】
前記リブは前記第１の板部又は前記第２の板部と止水部材を介して接する、
請求項１に記載の電子機器。
【請求項５】
前記電子機器は内部に回路基板を保持し、
前記回路基板は前記複数の枠体の内部に形成されたボスに保持されている、
請求項１に記載の電子機器。
【発明の詳細な説明】
【技術分野】
【０００１】
本開示は、筐体の組立性に優れる電子装置に関する。
【背景技術】
【０００２】
電子装置の筐体については、特許文献１がある。この特許文献１には、基本キャビネット上に増設する増設キャビネットの組み立てにおいて、左側面と背面とを覆う増設Ｌ型側板を基本キャビネットにネジ固定し、増設Ｌ型側板に増設側面支柱板をネジ固定し、増設側面支柱板の上端部および増設Ｌ型側板の側面部の上端部を螺子で増設梁を介して連結した後、増設側板を増設梁にネジで固定する技術が開示されている。
【先行技術文献】
【特許文献】
【０００３】
【特許文献１】特開２００２−０９４２７０号公報
【発明の概要】
【発明が解決しようとする課題】
【０００４】
本開示は、組み立てが容易で、組み立てた後の堅牢性に優れる筐体を備えた電子装置を提供する。
【課題を解決するための手段】
【０００５】
本開示の電子機器は、第１の板部と、この第１の板部と第１の方向に離れて対向する第２の板部と、第１の板部と第２の板部との間に配置されて側面を形成する複数の枠体とを備える。それぞれの枠体は複数のリブを備え、リブは前記枠体が隣接する他の枠体が備えるリブと前記第１の方向に互い違いに重ねられて配置される。
【発明の効果】
【０００６】
本開示の電子装置は、組み立てが容易で、組み立てた後の堅牢性に優れる筐体を、薄型化および軽量化することができる。
【図面の簡単な説明】
【０００７】
【図１】携帯コンピュータ（ＰＣ）の開蓋状態の斜視図である。
【図２】ＰＣの閉蓋状態の斜視図である。
【図３Ａ】同ＰＣの操作筐体における側部枠体の分解斜視図である。
【図３Ｂ】同ＰＣの操作筐体における側部枠体の組み立て過程の分解斜視図である。
【図３Ｃ】同ＰＣの操作筐体における側部枠体を組み立てた斜視図である。
【図３Ｄ】同ＰＣの操作筐体における枠体の斜視図である。
【図４Ａ】同ＰＣの操作筐体における側部枠体の組み立て前の要部斜視図である。
【図４Ｂ】同ＰＣの操作筐体における側部枠体の組み立て前の要部断面図である。
【図４Ｃ】同ＰＣの操作筐体における側部枠体の組み立て前の要部斜視図である。
【図４Ｄ】同ＰＣの操作筐体における側部枠体の組み立て前の要部断面図である。
【図５Ａ】同ＰＣの操作筐体における側部枠体の組み立て前の要部斜視図である。
【図５Ｂ】同ＰＣの操作筐体における側部枠体の組み立て過程の要部斜視図である。
【図５Ｃ】同ＰＣの操作筐体における側部枠体の組み立て過程の要部斜視図である。
【図６Ａ】同ＰＣの操作筐体における側部枠体の組み立て前の要部斜視図である。
【図６Ｂ】同ＰＣの操作筐体における側部枠体の組み立て後の要部断面図である。
【図７Ａ】他のＰＣの操作筐体における側部枠体の組み立て前の要部斜視図である。
【図７Ｂ】同ＰＣの操作筐体における側部枠体の組み立て後の要部断面図である。
【図８Ａ】別のＰＣの操作筐体の組み立て前における要部斜視図である。
【図８Ｂ】同ＰＣの操作筐体の組み立て後における要部斜視図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
以下、実施の形態の一例として、クラムシェル型と称される表示パネルと操作筐体とが回動可能に係合している携帯コンピュータ（ＰＣ）を挙げて説明する。
【００１１】
［携帯コンピュータの構成］
図１および図２は、ＰＣの斜視図である。ＰＣは、表示筐体１と操作筐体２とをヒンジ４で開閉自在に支持する構成を備える。図１は、操作筐体２に対し表示筐体１を開いた開蓋状態である。図２は、操作筐体２に対し表示筐体１を閉じた閉蓋状態である。図１の開蓋状態から図２の閉蓋状態には、使用者がヒンジ４の開閉軸を矢印Ａ方向に回動する。また、閉蓋状態から開蓋状態には、使用者がヒンジ４の開閉軸を矢印Ｂ方向に回動する。
【００１２】
表示筐体１は、表示パネル１ａと、表示パネル１ａの裏側の背面１ｂとが配置されている。操作筐体２は、キーボード３ａと操作パッド３ｂとが配置されたた表面２ａ、表面２ａの裏側の裏面２ｂ、使用者が表示パネル１ａを視認することができる図１の状態で使用者側に向く前側面２ｅ、キーボード３ａおよび操作パッド３ｂを介して前側面２ｅと対向する後側面２ｆ、使用者の右側の右側面２ｃ、および使用者の左側の左側面２ｄで構成される。
【００１３】
また、操作筐体２の右側面２ｃは、後側面２ｆ近傍に、コネクタ５が配置されている。本実施の形態では、コネクタ５が右側面２ｃにおける後側面２ｆ側に配置された場合を示しているが、コネクタ５が配置される箇所は左側面２ｄ、前側面２ｅまたは後側面２ｆであってもよい。また、コネクタ５は、外部機器と接続するケーブルを接続することができる。
【００１４】
（実施の形態１）
［操作筐体の構成］
図３Ａ乃至図３Ｄは、操作筐体２における組み立て過程の一例である。本実施の形態における操作筐体２は、枠体６の外周が外装に覆われて構成されている。枠体６は、表枠体６ａ、裏枠体６ｂ、右枠体６ｃ、左枠体６ｄ、前枠体６ｅおよび後枠体６ｆで構成される。これらの枠体は相独立した部材である。すなわち、表枠体６ａの表面には外装として表面２ａ、裏枠体６ｂの裏面には外装として裏面２ｂ、右枠体６ｃの右面には外装として右側面２ｃ、左枠体６ｄの左面には外装として左側面２ｄ、前枠体６ｅの前側には外装として前側面２ｅ、後枠体６ｆの後ろ側には外装として後側面２ｆが、それぞれ配置される。なお、枠体６の表面自体が、外装であってもよい。
【００１５】
枠体６の内、右枠体６ｃ、左枠体６ｄ、前枠体６ｅおよび後枠体６ｆの組み立ての一例を説明する。まず、前枠体６ｅおよび後枠体６ｆを、左枠体６ｄの長さ距離を介して平行に配置する。この状態で、図３Ａに示したように、左枠体６ｄを矢印Ｃの方向に移動させ、左枠体６ｄの一方の端部を前枠体６ｅの一方の端部に差し込む。同様に、左枠体６ｄの他方の端部を後枠体６ｆの一方の端部に差し込む。
【００１６】
次に左枠体６ｄを組み込んだ前枠体６ｅおよび後枠体６ｆに、右枠体６ｃを差し込む。すなわち、図３Ｂに示すように、右枠体６ｃの一方の端部を前枠体６ｅの他方の端部に差し込む。同様に、右枠体６ｃの他方の端部を後枠体６ｆの他方の端部に差し込む。このようにして、図３Ｃに示したように、操作筐体２における４側面部（２ｃ、２ｄ、２ｅ、２ｆ）に対応する４部材（６ｃ、６ｄ、６ｅ、６ｆ）を組み立てることができる。
【００１７】
なお、上述の組み立て過程において、枠体６の各側面部を支持する相独立した４つの部材それぞれの各角部は、互い違いに上下方向で対向させ、嵌め合わされるリブが配置されている。各角部において隣接する部材は、図３Ｂおよび図３Ｃに示したように、互いに上下方向でリブ同士が噛み合うように差し込まれる。したがって、図３Ｃに示した枠体６は、４つの部材同士の各角部におけるリブの側面が相互干渉することにより、上下方向に働く捩じれに対する耐性、および差し込んだ部分の抜けに対する耐性を備えさせることができる。
【００１８】
このように、図３Ｃに示した側面部を支持する４部材を組み立てた後、表枠体６ａおよび裏枠体６ｂを、それぞれ嵌め込むことで、図３Ｄの枠体６を得る。なお、表枠体６ａに配置した凹部６ｇは、キーボード３ａが挿入される有底の窪み部である。このように表枠体６ａおよび裏枠体６ｂは、４部材（６ｃ、６ｄ、６ｅ、６ｆ）の上下面と係合するため、嵌め込んだ表枠体６ａおよび裏枠体６ｂの強度がこの４部材に加わり、枠体６としての上下方向に働く捩じれに対する強度を向上させることができる。
【００１９】
［側部枠体の固定］
この４側面部（２ｃ、２ｄ、２ｅ、２ｆ）に対応する４つの部材（６ｃ、６ｄ、６ｅ、６ｆ）の各角部は、互いに高さ方向が異なるリブが互い違いに配置されている。このリブとこのリブに隣接したリブを立設した側面とを、各角部において直交方向からネジで螺結した固定の一例を、図４Ａおよび図４Ｃに示す。図４Ａおよび図４Ｃは、一例として右枠体６ｃと後枠体６ｆとの角部を拡大した斜視図である。図４Ｂは、図４Ａにおける平面Ｌで切断したＥ−Ｅ矢視断面図である。図４Ｄは、図４Ｂにおける平面Мで切断したＦ−Ｆ矢視断面図である。
【００２０】
後枠体６ｆは、後枠体表面７ａ、後枠体平坦面７ｂ、後枠体内面７ｃ、後枠体端面７ｄ、後枠体外面７ｈおよび後枠体裏面７ｍを有する。後枠体端面７ｄは、後枠体上リブ７ｅ、後枠体下リブ７ｆ、後枠体突起端面７ｇ、後枠体ネジ穴７ｊ、後枠体間隙７ｋ、および後枠体ネジ孔７ｌを備える。後枠体端面７ｄは、後枠体６ｆを角部で切断され、後枠体内面７ｃ側よりも後枠体外面７ｈ側が右枠体６ｃに近接する傾斜面を有する。後枠体突起端面７ｇは、この傾斜面の一部を構成する。また、後枠体上リブ７ｅおよび後枠体下リブ７ｆは、後枠体突起端面７ｇから右枠体６ｃ側に突出する突出部を備える。また、後枠体上リブ７ｅおよび後枠体下リブ７ｆの右枠体６ｃ側の面は、右枠体６ｃの右枠体外面８ｈに対して平行に構成されている。また、後枠体上リブ７ｅおよび後枠体下リブ７ｆの前枠体６ｅ側の面は、後枠体６ｆの後枠体外面７ｈに対して平行に構成されている。また、後枠体表面７ａは、角部において後枠体端面７ｄよりも突出した突出部を備える。なお、図３Ａに示したように、後枠体６ｆの左枠体６ｄとの角部、前枠体６ｅと左枠体６ｄおよび右枠体６ｃとの両角部も、図４Ａおよび図４Ｃと同様の構成を備えている。
【００２１】
右枠体６ｃは、右枠体表面８ａ、右枠体平坦面８ｂ、右枠体内面８ｃ、右枠体端面８ｄ、右枠体外面８ｈ、右枠体段差表面８ｉおよび右枠体裏面８ｍで構成される。右枠体端面８ｄは、右枠体上リブ８ｅ、右枠体下リブ８ｆ、右枠体突起端面８ｇ、右枠体ネジ孔８ｊ、右枠体間隙８ｋ、および右枠体ネジ穴８ｌを備える。右枠体端面８ｄは、右枠体６ｃを角部で切断され、右枠体内面８ｃ側よりも右枠体外面８ｈ側が後枠体６ｆに近接する傾斜面を有する。右枠体突起端面８ｇは、この傾斜面の一部を構成する。また、右枠体上リブ８ｅおよび右枠体下リブ８ｆは、右枠体突起端面８ｇから後枠体６ｆ側に突出する突出部を備える。また、右枠体上リブ８ｅおよび右枠体下リブ８ｆの後枠体６ｆ側の面は、後枠体６ｆの後枠体外面７ｈに対して平行に構成されている。また、右枠体上リブ８ｅおよび右枠体下リブ８ｆの右枠体６ｃ側の面は、右枠体６ｃの右枠体外面８ｈに対して平行に構成されている。また、右枠体表面８ａは、角部において右枠体端面８ｄよりも突出した突出部を備える。右枠体段差表面８ｉは、コネクタ５が装着される窓部５ａを配置するため、右枠体外面８ｈよりも左枠体６ｄ側に陥没している。したがって、右枠体６ｃに窓部５ａの貫通孔等を備えることがない場合には、右枠体段差表面８ｉは省略し、右枠体外面８ｈと同一面とすることができる。なお、図３Ａに示したように、右枠体６ｃの前枠体６ｅとの角部、左枠体６ｄと前枠体６ｅおよび後枠体６ｆとの両角部も、図４Ａおよび図４Ｃと同様の構成を備えている。
【００２２】
以上のように構成された右枠体６ｃと後枠体６ｆとは、角部においてネジ９および１０（図５Ｂ参照）で、右枠体６ｃおよび後枠体６ｆそれぞれに対して直交する方向に螺結される。すなわち、図４Ｂに示したように、ネジ９は、右枠体６ｃに備わる右枠体ネジ孔８ｊを貫通し、後枠体６ｆに備わる後枠体ネジ穴７ｊを用いて各部材を螺結する。また、図４Ｄに示したように、ネジ１０は、後枠体６ｆに備わる後枠体ネジ孔７ｌを貫通し、右枠体６ｃに備わる右枠体ネジ穴８ｌを用いて各部材を螺結する。
【００２３】
次に、後枠体６ｆに備える後枠体上リブ７ｅおよび後枠体下リブ７ｆと、右枠体６ｃに備える右枠体上リブ８ｅおよび右枠体下リブ８ｆとを組み込む構成について説明する。なお、後枠体下リブ７ｆおよび右枠体下リブ８ｆの構成関しては、後枠体上リブ７ｅおよび右枠体上リブ８ｅとおおむね同様であるため、説明は割愛する。
【００２４】
図４Ｂに示したように、後枠体６ｆに備わる後枠体上リブ７ｅは、角部において、右枠体上リブ８ｅと右枠体下リブ８ｆとの間の右枠体間隙８ｋに挿入される。このとき、後枠体突起端面７ｇにおける右枠体６ｃ側の側面は、右枠体突起端面８ｇにおける後枠体６ｆ側の側面に当接する。また、後枠体端面７ｄは、右枠体端面８ｄに当接する。その結果、後枠体上リブ７ｅは、右枠体上リブ８ｅおよび右枠体下リブ８ｆの間の右枠体間隙８ｋに嵌合される。
【００２５】
図４Ｄに示したように、右枠体６ｃに備わる右枠体上リブ８ｅは、角部において、後枠体上リブ７ｅと後枠体下リブ７ｆとの間の後枠体間隙７ｋに挿入される。このとき、後枠体突起端面７ｇにおける右枠体６ｃ側の側面は、右枠体突起端面８ｇにおける後枠体６ｆ側の側面に当接する。また、後枠体端面７ｄは、右枠体端面８ｄに当接する。その結果、右枠体上リブ８ｅは、後枠体上リブ７ｅおよび後枠体下リブ７ｆの間の後枠体間隙７ｋに嵌合される。
【００２６】
本実施の形態では、右枠体上リブ８ｅおよび右枠体下リブ８ｆは、右枠体６ｃにおける右枠体外面８ｈ側および右枠体端面８ｄ側が厚みを厚く、右枠体外面８ｈおよび右枠体端面８ｄから離れるに従い厚みが薄くなるテーパー形状に構成した。また、後枠体上リブ７ｅおよび後枠体下リブ７ｆは、後枠体６ｆにおける後枠体外面７ｈ側および後枠体端面７ｄ側が厚みを厚く、後枠体外面７ｈおよび後枠体端面７ｄから離れるにしたがい厚みが薄くなるテーパー形状に構成した。なお、リブにおいて厚みが厚い方を「付け根部」と称し、厚みが薄い方を「先端部」と称する。また、本実施の形態では、右枠体上リブ８ｅの付け根部と右枠体下リブ８ｆの付け根部との間の距離は、後枠体上リブ７ｅの先端部の厚みとした。また、後枠体上リブ７ｅの付け根部と後枠体下リブ７ｆの付け根部との間の距離は、右枠体上リブ８ｅの先端部の厚みとした。すなわち、後枠体上リブ７ｅの先端部は、右枠体上リブ８ｅおよび右枠体下リブ８ｆの付け根部に嵌め込まれる。同時に、右枠体上リブ８ｅの先端部は、後枠体上リブ７ｅおよび後枠体下リブ７ｆの付け根部に嵌め込まれる。したがって、相隣接するリブの先端部が付け根部の間に嵌合させることができ、角部におけるリブ同士の摺動面積を広くすることができる。その結果、リブ同士の嵌合で組み立てた枠体６の強度と差し込みの抜けに対する耐性とを向上させることができる。また、角部においてリブ同士を差し込む際、差し込み始めではリブの間隙が広く、差し込み過程でリブのテーパー形状により間隙が狭小となる。したがって、リブ同士の差し込みをしやすくすることができ、容易に組み立てることができる。なお、本実施の形態のリブは、上述したテーパー形状を有する構成を採用したが、付け根部の間隔と先端部の間隔とを同じとすることもできる。
【００２７】
なお、後枠体６ｆと右枠体６ｃとを角部において組み立てると、図４Ｂに示すように、右枠体上リブ８ｅにおける右枠体端面８ｄは、後枠体上リブ７ｅにおける後枠体端面７ｄに当接する。同時に、右枠体間隙８ｋにおける右枠体突起端面８ｇは、後枠体上リブ７ｅにおける後枠体突起端面７ｇに当接する。その結果、右枠体間隙８ｋの右枠体ネジ孔８ｊは、後枠体上リブ７ｅの後枠体ネジ穴７ｊに位置決めされる。したがって、後枠体６ｆと右枠体６ｃとは、ネジ９で螺結することができる。また、図４Ｄに示すように、後枠体上リブ７ｅにおける後枠体端面７ｄは、右枠体上リブ８ｅにおける右枠体端面８ｄに当接する。同時に、後枠体間隙７ｋにおける後枠体突起端面７ｇは、右枠体上リブ８ｅにおける右枠体突起端面８ｇに当接する。その結果、後枠体間隙７ｋの後枠体ネジ孔７ｌは、右枠体上リブ８ｅの右枠体ネジ穴８ｌに位置決めされる。したがって、右枠体６ｃと後枠体６ｆとは、ネジ１０で螺結することができる。つまり、右枠体６ｃと後枠体６ｆとは、角部において互いに直交する方向から螺結され、強固に組み込みされる。
【００２８】
なお、上述の説明では、一つの角部における一方のリブ同士の差し込みと直交方向から角部を螺子による枠体の螺結とについて説明したが、すべての角部においても同様に螺結させることができる。このように、右枠体６ｃ、左枠体６ｄ、前枠体６ｅおよび後枠体６ｆそれぞれが備えるリブ同士を差し込むという簡単な組み立てで、枠体６の側面の強度を向上させることができる。その結果、例えば表枠体６ａおよび／または裏枠体６ｂの面積の大きさや、付随する重量物の有無等にかかわらず、機械的な堅牢性を備えさせることができる。また、表枠体６ａおよび／または裏枠体６ｂを薄板状で形成させることもできるため、例えば表枠体６ａや裏枠体６ｂをプレス成型等の簡単な製法で薄板化することができ、枠体６を軽量化させることもできる。さらに、すべての角部で直行方向から螺結させることで、枠体６の止水性能も確保することができる。なお、右枠体６ｃ、左枠体６ｄ、前枠体６ｅおよび後枠体６ｆと、表枠体６ａおよび裏枠体６ｂとの組み込みについては、後述する。また、本実施の形態では、角部において、右枠体６ｃの右枠体外面８ｈに対し直交する方向に後枠体６ｆをネジ９で螺結させ、後枠体６ｆの後枠体外面７ｈに対し直交する方向に右枠体６ｃをネジ１０で螺結させた。しかしながらこれは一例であり、ネジ９を例えば後枠体６ｆに対して平行で、右枠体表面８ａの方向に傾斜させる螺結であってもよい。
【００２９】
［枠体の止水］
図５Ａ乃至図５Ｃは、止水構成の一例を示す斜視図である。なお、図５Ａ乃至図５Ｃにおける右枠体６ｃと後枠体６ｆとは、前述した構成と同様である。後枠体平坦面７ｂの上に、後枠体平坦面止水部材１１ａを配置する。なお、後枠体裏面７ｍにも同様に平坦面を備え、その平坦面の上に後枠体平坦面止水部材１１ａを配置するが、図面が煩雑となるため図示は省略した。また、後枠体端面７ｄと右枠体端面８ｄとの間に、枠体端面止水部材１１ｂを配置する。また、右枠体平坦面８ａおよび８ｂの上に、右枠体平坦面止水部材１１ｃを配置する。なお、右枠体裏面８ｍにも同様に平坦面を備え、その平坦面の上に右枠体平坦部止水部材１１ｃを配置するが、図面が煩雑となるため図示は省略した。
【００３０】
このように後枠体平坦面止水部材１１ａ、枠体端面止水部材１１ｂ、および右枠体平坦部止水部材１１ｃを配置した後、後枠体６ｆを図５Ａの矢印Ｙ１方向に移動させる。その結果、枠体端面止水部材１１ｂは、後枠体６ｆと右枠体６ｃとで構成する角部に挟着される。枠体端面止水部材１１ｂを介在する後枠体６ｆと右枠体６ｃとの角部は、図５Ｂに示すように、ネジ９および１０で螺結される。その結果、枠体端面止水部材１１ｂは、後枠体端面７ｄと右枠体端面８ｄとの間に螺結によって固定され、角部に完全に止水をさせることができる。なお、上述の説明では一つの角部だけであるが、角部の全てをネジで螺結させることで、右枠体６ｃ、左枠体６ｄ、前枠体６ｅおよび後枠体６ｆは、完全に止水させることができる。また、図５Ｂでは、後枠体平坦面７ｂの上に後枠体平坦面止水部材１１ａが配置され、右枠体平坦面８ａおよび８ｂ（図４Ａおよび図４Ｂ参照）の上に右枠体平坦面止水部材１１ｃが配置されている。後枠体表面７ａと後枠体平坦面７ｂとの間には、溝部６ｉ（後述）が配置されている。この溝部６ｉに、後枠体平坦面止水部材１１ａおよび後枠体平坦面止水部材１１ａ側の外周部（後述）を挿入した。また、後枠体平坦面７ｂの裏側にも溝部６ｉが配置され、後枠体平坦面止水部材１１ａおよび後枠体平坦面止水部材１１ｃはこの溝部６ｉに挿入される。
【００３１】
このように螺結した後で、図５Ｃに示すように、表枠体６ａと裏枠体６ｂとを組み立てた。すなわち、表枠体６ａは、後枠体６ｆおよび右枠体６ｃ方向の下向きＺに移動させ、その後で後枠体６ｆ方向Ｘ１に移動させる。つまり、表枠体６ａは、矢印ＺＸ１方向に移動させることとなる。このようにすることで、溝部６ｉの中で、後枠体平坦面止水部材１１ａが、表枠体６ａと後枠体平坦面７ｂとの間に配置される。また、右枠体平坦部止水部材１１ｃも、溝部６ｉに挿入される外周部で、表枠体６ａと後枠体平坦面７ｂとの間に配置される。したがって、後枠体平坦面止水部材１１ａおよび右枠体平坦部止水部材１１ｃの一部は、右枠体６ｃおよび後枠体６ｆと表枠体６ａとを完全に止水することができる。同様に、裏枠体６ｂは、後枠体６ｆおよび右枠体６ｃ方向に矢印ＺＸ２方向に移動させることで、止水することができる。このようにして、後枠体６ｆと左枠体６ｄとの角部も、上述した組み立てで、表枠体６ａおよび裏枠体６ｂに対して完全に止水することができる。なお、図５Ｃの後枠体６ｆは、溝部６ｉを図示すると図面が煩雑となるため、図示は省略した。また、図５Ｃの表枠体６ａおよび裏枠体６ｂは、後枠体６ｆに配置した溝部６ｉに挿入する外周部６ｈの湾曲部を省略している。また、右枠体６ｃおよび左枠体６ｄと前枠体６ｅとで構成される２つの角部も同様に組み立てをすることで、図３Ｄに示した枠体６を完全に止水することができる。但し、図３Ｄでは窓部５ａが右枠体６ｃを貫通している。このため、枠体６として完全に止水するためには、後述するように、この窓部５ａを止水することで達成することができる。
【００３２】
［表枠体および裏枠体の組立］
枠体６の表枠体６ａおよび裏枠体６ｂの組み立ての一例について、図６Ａおよび図６Ｂを参照して説明する。図６Ａは、一例として右枠体６ｃと後枠体６ｆとが成す角部の近傍を拡大した斜視図である。また、図６Ｂは、図６Ａにおける平面Ｎで切断したＧ−Ｇ矢視断面図である。なお、図６Ａおよび図６Ｂで、図３Ａ乃至図５Ｃと同様な構成については同一符号を付している。
【００３３】
表枠体６ａは、右枠体６ｃ、左枠体６ｄ、前枠体６ｅ、および後枠体６ｆそれぞれを介して裏枠体６ｂに対向する主面（面積的に広い面を「主面」と称す）に、表枠体内壁２０ｂおよび表枠体外壁２０ａを配置した。また、表枠体内壁２０ｂと表枠体外壁２０ａとの間には、止水部材２１を充填した。裏枠体６ｂは、右枠体６ｃ、左枠体６ｄ、前枠体６ｅ、および後枠体６ｆそれぞれを介して表枠体６ａに対向する主面に、裏枠体内壁２０ｄおよび裏枠体外壁２０ｃを配置した。また、裏枠体内壁２０ｄと裏枠体外壁２０ｃとの間には、止水部材２１を充填した。
【００３４】
図６Ｂに示したボス８ｎは、右枠体内面８ｃから左枠体６ｄ方向に立設し、左枠体６ｄの内面にも同様のボスが配置されている。ボス８ｎおよび左枠体６ｄの内面に配置したボスは、回路基板１５を担持することができる。ボス８ｎによる回路基板１５の担持としては、例えばボス８ｎに備える切欠に回路基板１５を装着（右枠体６ｃと回路基板１５を介して対向する左枠体６ｄのボスの切欠とで挟持）や、ボス８ｎにネジで螺結等が適用できる。なお、本実施の形態では、右枠体６ｃおよび左枠体６ｄに配置されるボスの切欠で挟着した。相独立した右枠体６ｃ、左枠体６ｄ、前枠体６ｅおよび後枠体６ｆを差し込むことにより、例えば右枠体内面８ｃにボス８ｎ等の補助部材を作り込むことができる。この構成によって、組み立てするときにこの作り込んだ補助部材の機能を働かせ、例えば部品点数の削減や、組み立て時間の短縮等に有用である。
【００３５】
また、枠体６の内側に配置したコネクタ５は、窓部５ａの内側に装着される。右枠体６ｃにおける窓部５ａの開口部の周囲とコネクタ５とは、止水部材５ｂを介在させネジ（不図示）で固定されている。このように窓部５ａは、コネクタ５と止水部材５ｂとで止水されることで、止水性を備える枠体６を得ることができる。
【００３６】
右枠体６ｃ、左枠体６ｄ、前枠体６ｅ、および後枠体６ｆは、それぞれの角部に配置したリブ同士を差し込み、ネジ９および１０で螺結することで、図３Ｃに示したように側部を組み立てる。すなわち、図６Ａに示したように、後枠体６ｆを矢印Ｘ１方向に、また右枠体６ｃを矢印Ｙ１方向にそれぞれ移動させて、後枠体６ｆと右枠体６ｃとを組み立てた。このように側部を構成する部材を組み立てた後、表枠体６ａおよび裏枠体６ｂをそれぞれ上下に配置することで、図３Ｄに示した枠体６を得た。なお、止水部材２１を表枠体内壁２０ｂと表枠体外壁２０ａとの間に備えた構成は、図５Ｃで説明した矢印ＺＸ１方向に表枠体６ａを移動させる際に、止水部材２１の横ずれを抑制するためである。同様に、止水部材２１を裏枠体内壁２０ｄと裏枠体外壁２０ｃとの間に備えた構成は、図５Ｃで説明した矢印ＺＸ１方向に表枠体６ａを移動させる際に、止水部材２１の横ずれを抑制するためである。同様に、止水部材２１を裏枠体内壁２０ｅと裏枠体外壁２０ｆとの間に備えた構成は、図５Ｃで説明した矢印ＺＸ２方向に裏枠体６ｂを移動させる際に、止水部材２１の横ずれを抑制するためである。
【００３７】
止水部材２１は、表枠体６ａに備える表枠体外壁２０ａと表枠体内壁２０ｂとの間に配置され、裏枠体６ｂ方向で表面が突出している。この構成で、右枠体６ｃの右枠体内面８ｃを押圧し、変形する。この変形で、表枠体６ａと右枠体６ｃとが止水される。同時に、表枠体外壁２０ａと表枠体内壁２０ｂとの間に配置されている止水部材２１は、後枠体平坦面７ｂに対しても押圧され、変形する。この変形で、表枠体６ａは後枠体６ｆに対しても止水される。また、止水部材２１は、裏枠体６ｂに備える裏枠体外壁２０ｃと裏枠体内壁２０ｄとの間に配置されている。このため、右枠体６ｃの右枠体内面８ｃを押圧し、変形する。この変形で、裏枠体６ｂは右枠体６ｃに対して止水される。同時に、裏枠体外壁２０ｃと裏枠体内壁２０ｄとの間に配置されている止水部材２１は、後枠体平坦面７ｂ’に対しても押圧され、変形する。この変形で、裏枠体６ｂは後枠体６ｆに対し止水される。また、上述したように、窓部５ａは、コネクタ５との間の止水部材５ｂで止水されている。よって、図３Ｄに示した枠体６は、止水部材２１および５ｂで止水することができる。
【００３８】
このような止水構成で、枠体６に内蔵される回路基板１５を防水することができる。また、表枠体６ａおよび裏枠体６ｂは、例えば後枠体６ｆと一体に構成された補助枠体１６に対して組み込みこともできる。このように、補助枠体１６を配置することで、表枠体６ａおよび裏枠体６ｂの組み込みを容易化することができる。また、補助枠体１６を配置させることで、表枠体６ａおよび裏枠体６ｂと後枠体６ｆとの機械的強度も向上させることができる。したがって、枠体６内の例えば回路基板１５およびコネクタ５の接続部を、機械的な保護と防水とを達成させることができる。
【００３９】
また、ボス８ｎ以外に、補助回路基板１９を例えばネジ１８で固定する補助ボス１７も配置させることもできる。補助回路基板１９としては、例えば無線通信回路を実装させる等、ＰＣの機能に応じて適宜追加させることができる。なお、この補助ボス１７は、右枠体６ｃ内部だけではなく、左枠体６ｄ、前枠体６ｅおよび／または後枠体６ｆに備えることができる。補助ボス１７に対する補助回路基板１９の実装は、相独立した右枠体６ｃ、左枠体６ｄ、前枠体６ｅおよび後枠体６ｆそれぞれの部材の角部に配置したリブ同士を差し込み、組み立てる過程で簡単に作成させることができる。
【００４０】
また、右枠体６ｃ、左枠体６ｄ、前枠体６ｅ、および後枠体６ｆをそれぞれの部材の角部でリブを差し込む組み立てによって、前述したようにリブ同士の外周が係合する。このとき、それぞれの角部におけるリブ同士の相互干渉によって、枠体６の上下方向に働く捩じれ、および差し込んだ部分の抜けに対する耐性を備えさせることができる。また、それぞれの角部をネジで締結させると、差し込み部分がさらに抜け難く構成させることができる。また、同時に枠体６の上下方向もネジによる締結力が加わり、上下方向に印加される外力に対する機械的な堅牢性を向上させることができる。さらに、止水部材２１を介在させる構成で、表枠体６ａおよび裏枠体６ｂと、右枠体６ｃ、左枠体６ｄ、前枠体６ｅ、および後枠体６ｆとを確実に止水させることができる。また、右枠体６ｃ、左枠体６ｄ、前枠体６ｅ、および後枠体６ｆそれぞれの角部は、リブによる差し込みと、枠体端面止水部材１１ｂの介在とによって、確実な止水性を実現することができる。
【００４１】
また、表枠体６ａに表枠体外壁２０ａと表枠体内壁２０ｂとを備えることで、表枠体６ａ自体の機械的な強度を向上させることができる。したがって、例えば表枠体６ａの曲げに対する耐性を備えさせることができる。また、裏枠体６ｂについても同様である。したがって、図３Ｄに示した枠体６に高い堅牢性を付与させることができる。なお、本実施の形態では表枠体外壁２０ａおよび裏枠体外壁２０ｃを備えた構成で説明した。しかしながら、例えば後枠体６ｆには後枠体表面７ａと後枠体平坦面７ｂとの境界に段差を備え、表枠体外壁２０ａに代え、この段差を適用することもできる。したがって、表枠体外壁２０ａを省くことができる。裏枠体外壁２０ｃも同様に省くことができる。
【００４２】
また、表枠体６ａおよび裏枠体６ｂも、例えばプレス成形等の簡単な方法で、薄型化することもできる。したがって、枠体６の薄型化および軽量化も実現することができる。
【００４３】
以上のように、本実施の形態は、右枠体６ｃ、左枠体６ｄ、前枠体６ｅ、および後枠体６ｆをそれぞれの角部でリブを差し込む組み立てた後、表枠体６ａおよび裏枠体６ｂを組み込むという、簡単構成である。しかもこの構成によって、堅牢性および／または止水性に優れ、軽量で薄型のＰＣを提供することができる。
【００４４】
また、表枠体６ａ、裏枠体６ｂ、右枠体６ｃ、左枠体６ｄ、前枠体６ｅ、および後枠体６ｆそれぞれを独立した部材として構成した。したがって、これらの部材は、ボス等の付属構成も含めて、成型により容易に製造することができる。また、成型する際に適用する型の設計に自由度を持たせることができる。また、部材の厚みを自由に制御することができるため、枠体６としての薄型化や軽量化することができる。
【００４５】
（実施の形態２）
図７Ａおよび図７Ｂに、別のＰＣの要部構成を示す。図７Ａは、一例として右枠体６ｃと後枠体６ｆとが成す角部の近傍を拡大した斜視図である。また、図７Ｂは、図７Ａにおける平面Ｐで切断したＨ−Ｈ矢視図である。なお、図７Ａおよび図７Ｂで、図３Ａ乃至図５Ｃと同様の構成に関しては、同一符号を付し、説明は割愛する。
【００４６】
［枠体の組立］
図７Ｂに示したように、表枠体６ａの外周部６ｈは、右枠体６ｃに配置した溝部６ｉに挿入される。外周部６ｈは、表枠体６ａの主面よりも裏枠体６ｂの方向に、段差を形成して屈曲させている。また、裏枠体６ｂの外周部６ｈは、溝部６ｉに挿入され、裏筐体６ｂの主面よりも表枠体６ａの方向に、段差を形成して屈曲させている。溝部６ｉは、後枠体６ｆにおける後枠体表面７ａと後枠体平坦面７ｂとの間に配置されている。また、溝部６ｉは、前枠体６ｅにおける前枠体表面と前枠体平坦面７ｂ’にも配置されている。また、表枠体６ａの外周部６ｈは、溝部６ｉの内部において、後枠体表面７ａと後枠体平坦面止水部材１１ａとの間に配置されている。後枠体平坦面止水部材１１ａは、このような構成で、角部での表枠体６ａと後枠体６ｆとを止水することができる。
【００４７】
なお、表枠体６ａにおける角部以外の後枠体平坦面止水部材１１ａは、図７Ｂに示したように、後枠体平坦面７ｂと表枠体６ａとの間に配置されている。つまり、後枠体平坦面７ｂと後枠体表面７ａとの間にも、上述の角部と同様に溝部６ｉを備え、この溝部６ｉに後枠体平坦面止水部材１１ａおよび外周部６ｈが挿入される。また、裏枠体６ｂにおける角部以外の後枠体平坦面止水部材１１ａ’は、同様に、前枠体平坦面７ｂ’と裏枠体６ｂとの間それぞれに配置されている。したがって、表枠体６ａは、後枠体７ｂに対して止水されている。また、裏枠体６ｂは、後枠体平坦面７ｂ’に対して止水されている。また、右枠体６ｃが回路基板１５等を介して対向する左枠体６ｄ側における前枠体６ｅおよび後枠体６ｆも、上述と同様の構成を備え、止水することができる。また、表枠体６ａおよび裏枠体６ｂに段差部を配置する構成で、表枠体６ａおよび裏枠体６ｂの曲げ方向に対する耐性を備えさせることができ、機械的強度を向上させられる。なお、実施の形態１で述べたように、リブ同士の差し込みおよび溝部６ｉへの挿入で組み立てられるため、止水部材を省略することもできる。
【００４８】
また、表枠体６ａおよび裏枠体６ｂは、右枠体６ｃ、左枠体６ｄ、前枠体６ｅ、および後枠体６ｆの高さ距離を隔てて対向させる。なお、後枠体平坦面７ｂの上には後枠体平坦面止水部材１１ａを配置させた。同様に、右枠体平坦面８ａおよび８ｂの上には右枠体平坦面止水部材１１ｃ配置させた。このようにして配置した表枠体６ａおよび裏枠体６ｂの間に、実施の形態１と同様に、右枠体６ｃ、左枠体６ｄ、前枠体６ｅ、および後枠体６ｆそれぞれを差し込むことで、図３Ｄに示した枠体６を得た。
【００４９】
なお、本実施の形態のコネクタ５は、止水部材５ｂを介して窓部５ａに備えた。窓部５ａに対するコネクタ５の止水構成は、実施の形態１における図６Ｂと同様である。また、実施の形態１と同様に、補助枠体１６を配置した。この構成により、実施の形態１で述べたように、表枠体６ａおよび裏枠体６ｂの組み込みの容易性、機械的強度の向上、枠体６が内蔵する部品等に対する機械的な耐性と高い防水性の効果を奏することができる。さらに、表枠体６ａおよび／または裏枠体６ｂを薄肉化することもでき、枠体６を軽量化させることもできる。
【００５０】
また、回路基板１５を担持するボス８ｎや、補助回路基板１９を支持する補助ボス１７（図６Ｂ参照）等を、右枠体６ｃ、左枠体６ｄ、前枠体６ｅおよび後枠体６ｆに構成させることもできる。
【００５１】
また、本実施の形態では、右枠体６ｃ、左枠体６ｄ、前枠体６ｅおよび後枠体６ｆが機械的強度を備えた状態で組み立てた後、表枠体６ａおよび裏枠体６ｂを配置して枠体６とした。また、表枠体６ａおよび裏枠体６ｂは、溝部６ｉの中に挿入した。したがって、表枠体６ａは、相対向する溝部６ｉの溝深さ方向に沿って配置される。その結果、表枠体６ａは、剛性が高い主面方向で係止されるため、枠体６の機械的強度をさらに向上させることができる。また、表枠体６ａは、剛性が高い方向で溝部６ｉの中に挿入される。したがって、例えば溝部６ｉにおける底面と外周部６ｈとの間に止水部材（後枠体平坦面止水部材１１ａおよび右枠体平坦面止水部材１１ｃ等）を配置させると、止水構成の簡略化と確実性とを達成させることができる。これは、裏枠体６ｂでも同様である。また、表枠体６ａおよび裏枠体６ｂを係止するためのネジ等の係止部を割愛することもできる。
【００５２】
（実施の形態３）
図８Ａおよび図８Ｂに、他のＰＣの要部構成を示す。図８Ａおよび図８Ｂは、一例として右枠体６ｃと後枠体６ｆとが成す角部の近傍を拡大した斜視図である。なお、図８Ａおよび図８Ｂで、図３Ａ乃至図５Ｃと同様の構成に関しては、同一符号を付し、説明は割愛する。
【００５３】
［枠体の螺結構成］
後枠体６ｆに備わる後枠体上リブ７ｅおよび後枠体下リブ７ｆには、後述するネジ１４が貫通する後枠体ネジ孔１２を配置した。また、右枠体６ｃの右枠体平坦面８ｂおよび右枠体裏面８ｍにおける右枠体突起端面８ｇ近傍には、ネジ１４が螺結することで固定される右枠体ネジ穴１３を配置した。なお、右枠体ネジ穴１３は、少なくとも右枠体裏面８ｍ側でネジ１４が螺合する。
【００５４】
後枠体上リブ７ｅおよび後枠体下リブ７ｆと、右枠体６ｃの右枠体上リブ８ｅ（図４Ｂおよび図４Ｄ参照）および右枠体下リブ８ｆ（図４Ｂおよび図４Ｄ参照）とを差し込み、図８Ｂに示した後枠体６ｆと右枠体６ｃとを組み込んだ。この状態で、後枠体表面７ａおよび右枠体表面８ａに対し直行する方向にネジ１４を通し、右枠体ネジ穴１３に螺結させる。
【００５５】
この構成により、ネジ１４は、右枠体平坦面８ｂ、後枠体上リブ７ｅ、右枠体上リブ８ｅ、後枠体下リブ７ｆ、右枠体下リブ８ｆ、および右枠体裏面８ｍを螺結する。したがって、右枠体６ｃと後枠体６ｆとを単一のネジ１４で固定させることができる。なお、上述の説明では右枠体６ｃと後枠体６ｆとの角部で説明したが、すべての角部も同様に固定することができ、機械的な強度に優れる枠体６を提供することができる。また、単一のネジ１４で右枠体６ｃと後枠体６ｆとを固定させることができるため、一つの角部に対し複数のネジで螺結する構成に比べると、螺結工程を削減させることができる。さらに、枠体６の内部で螺結する構成であるため、操作筐体２として品格を向上させることができる。
【００５６】
なお、ネジ１４は、後枠体表面７ａおよび右枠体表面８ａに対して直角に螺結させる構成で説明したが、螺結させる方向は傾けることもできる。
【００５７】
［付記］
以上のように、本開示における技術の例示として、実施の形態を説明した。そのために、添付図面および詳細な説明を提供した。
【００５８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５９】
また、上述の実施の形態は、本開示における技術を例示するためのものであるから、特許請求の範囲またはその均等の範囲において種々の変更、置き換え、付加、省略などを行うことができる。
【００６０】
なお、本開示の電子機器の外形は、直方体形状を例に説明したがこれに限られない。また、表枠体は本開示における、第１の板部の一例である。また、裏枠体は本開示における第２の板部の一例である。また、右枠体、左枠体、前枠体および後枠体は本開示における複数の枠体の一例である。
【００６１】
また、本開示のリブは相対的な突起の概念である。
【００６２】
なお、ネジは、本開示における締結部材の一例である。締結部材としては、ネジ以外に例えばリベット等のいわゆる鋲や接着剤であっても適用することができる。
【産業上の利用可能性】
【００６３】
本開示は、例えば携帯コンピュータ、ゲーム機、携帯電話、カメラ、テレビ等に供することができる。
【符号の説明】
【００６４】
１  表示筐体
１ａ  表示パネル
１ｂ  背面
２  操作筐体
２ａ  表面
２ｂ  裏面
２ｃ  右側面
２ｄ  左側面
２ｅ  前側面
２ｆ  後側面
３ａ  キーボード
３ｂ  操作パッド
４  ヒンジ
５  コネクタ
５ａ  窓部
５ｂ  止水部材
６  枠体
６ａ  表枠体
６ｂ  裏枠体
６ｃ  右枠体
６ｄ  左枠体
６ｅ  前枠体
６ｆ  後枠体
６ｇ  凹部
６ｈ  外周部
６ｉ  溝部
７ａ  後枠体表面
７ｂ、７ｂ’  後枠体平坦面
７ｃ  後枠体内面
７ｄ  後枠体端面
７ｅ  後枠体上リブ
７ｆ  後枠体下リブ
７ｇ  後枠体突起端面
７ｈ  後枠体外面
７ｊ  後枠体ネジ穴
７ｋ  後枠体間隙
７ｌ  後枠体ネジ孔
７ｍ  後枠体裏面
８ａ  右枠体表面
８ｂ  右枠体平坦面
８ｃ  右枠体内面
８ｄ  右枠体端面
８ｅ  右枠体上リブ
８ｆ  右枠体下リブ
８ｇ  右枠体突起端面
８ｈ  右枠体外面
８ｉ  右枠体段差表面
８ｊ  右枠体ネジ孔
８ｋ  右枠体間隙
８ｌ  右枠体ネジ穴
８ｍ  右枠体裏面
８ｎ  ボス
９  ネジ
１０  ネジ
１１ａ、１１ａ’  後枠体平坦面止水部材
１１ｂ  枠体端面止水部材
１１ｃ  右枠体平坦面止水部材
１２  後枠体ネジ孔
１３  右枠体ネジ穴
１４  ネジ
１５  回路基板
１６  補助枠体
１７  補助ボス
１８  ネジ
１９  補助回路基板
２０ａ  表枠体
２０ｂ  表枠体内壁
２０ｃ  表枠体外壁
２０ｄ  裏枠体
２０ｅ  裏枠体内壁
２０ｆ  裏枠体外壁
２１  止水部材
【図１】
2014209305.tif 000003
【図２】
2014209305.tif 000004
【図３Ａ】
2014209305.tif 000005
【図３Ｂ】
2014209305.tif 000006
【図３Ｃ】
2014209305.tif 000007
【図３Ｄ】
2014209305.tif 000008
【図４Ａ】
2014209305.tif 000009
【図４Ｂ】
2014209305.tif 000010
【図４Ｃ】
2014209305.tif 000011
【図４Ｄ】
2014209305.tif 000012
【図５Ａ】
2014209305.tif 000013
【図５Ｂ】
2014209305.tif 000014
【図５Ｃ】
2014209305.tif 000015
【図６Ａ】
2014209305.tif 000016
【図６Ｂ】
2014209305.tif 000017
【図７Ａ】
2014209305.tif 000018
【図７Ｂ】
2014209305.tif 000019
【図８Ａ】
2014209305.tif 000020
【図８Ｂ】
2014209305.tif 000021